(57)【要約】【課題】製造コストが安価で、限られたスペースに設置でき、しかも幼児が気軽に利用することができる、従来にない遊戯装置を提供する。【解決手段】上面が所定広さの遊戯領域となった床部材２７と、床部材２７の下面に係着して、床部材を水平面に対して任意の方向に傾斜自在に支持する支持機構３２と、床部材２７の下面を支持するとともに、支持したその支持位置を昇降させる少なくとも二つの昇降機構４５，５０とを備える。各昇降機構４５，５０の支持位置がそれぞれ昇降することによって、床部材２７の傾斜方向及び傾斜角が変化し、このように傾斜方向及び傾斜角が刻々変化する床部材２７上で遊戯者は種々の遊戯を楽しむことができる。【選択図】          図３
2004275345.tif 000002
【特許請求の範囲】
【請求項１】
上面が所定広さの遊戯領域となった床部材と、
前記床部材の下面に係着して、水平軸を中心としてその軸周りに回転可能に前記床部材を支持する支持手段と、
前記床部材の下面を支持するとともに、支持したその支持位置を昇降させる昇降手段とを設けて構成したことを特徴とする遊戯装置。
【請求項２】
前記支持手段が前記床部材の中央部下方に配設され、該床部材の中央部下面に係着せしめられてなる請求項１記載の遊戯装置。
【請求項３】
上面が所定広さの遊戯領域となった床部材と、
前記床部材の下面に係着して、前記床部材を水平面に対して任意の方向に傾斜自在に支持する支持手段と、
前記床部材の下面を支持するとともに、支持したその支持位置を昇降させる少なくとも二つの昇降手段とを設けて構成したことを特徴とする遊戯装置。
【請求項４】
前記支持手段が前記床部材の中央部下方に配設され、該床部材の中央部下面に係着せしめられてなる請求項４記載の遊戯装置。
【請求項５】
上面が所定広さの遊戯領域となった床部材と、
前記床部材の下面を支持するとともに、支持したその支持位置を昇降させる少なくとも三つの昇降手段とを設けて構成したことを特徴とする遊戯装置。
【請求項６】
前記床部材の周囲を包囲する包囲部材と、可撓性を有するシート状且つ環状をしたカバー部材とを備えてなり、
前記カバー部材は、その外周縁部が前記床部材の可動領域より上方の前記包囲部材に接着される一方、その内周縁部が前記床部材表面の外周縁部に接着されてなることを特徴とする請求項１乃至５記載のいずれかの遊戯装置。
【請求項７】
前記カバー部材は、その内周縁部が下側に折り返された状態で前記床部材表面の外周縁部に接着されてなることを特徴とする請求項６記載の遊戯装置。
【発明の詳細な説明】
【０００１】
【発明の属する技術分野】
本発明は、遊園地や公園の他、デパートやスーパーマーケットなどのショッピング施設の遊戯コーナ等に設置して好適な遊戯装置に関する。
【０００２】
【従来の技術及び発明が解決しようとする課題】
遊園地等に娯楽を目的とした各種遊戯施設が設置されているのは周知の通りである。例えば、水平に設けた回転支軸にアームを設け、このアームに座席を取り付けて構成し、前記回転支軸を中心として座席を垂直面内で回転又は揺動させるようにした遊戯装置が知られている。これらの装置によれば、座席に搭乗した遊戯者は、上昇時に重力（Ｇ）を体感する一方、降下時に無重力感を体感し、日常生活では到底味わうことのできない特異な感覚を体感できることから、当該装置は若年層をはじめとして多くの人の人気を得ている。
【０００３】
また、遊戯者にスピード感やスリル感を味わわせる乗物としてジェットコースタ等もよく知られている。そして近年では、更にスピード感やスリル感の増した乗物として宙返り部や急反転部を設けたものが提案されており、これも日常生活では到底味わうことのできない特異な感覚を手軽に体感できることから、若年層をはじめとして多くの人の人気を得ている。
【０００４】
しかしながら、上述した遊戯装置はいずれも大型の装置であり、デパートやスーパーマーケットにおける遊戯コーナのように、設置スペースが限られている場所には、とても設置できるようなものではなかった。また、製造コストが極めて高くつくという問題もある。
【０００５】
更に、上記遊戯装置はいずれも体力的に成長した若者向けに開発されたものであり、従来、当該若者より若年の幼児層に向けた遊戯装置，設備は極限られたものであった。
【０００６】
本発明はかかる実情の下なされたものであり、製造コストが安価で、限られたスペースに設置でき、しかも幼児が気軽に利用することができる、従来にない遊戯装置の提供を目的とする。
【０００７】
【課題を解決するための手段及びその効果】
上記目的を達成するための本発明は、上面が所定広さの遊戯領域となった床部材と、前記床部材の下面に係着して、水平軸を中心としてその軸周りに回転可能に前記床部材を支持する支持手段と、前記床部材の下面を支持するとともに、支持したその支持位置を昇降させる昇降手段とを設けて構成したことを特徴とする遊戯装置に係る。
【０００８】
この遊戯装置によれば、昇降手段により支持された床部材の支持位置が、当該昇降手段の作動によって昇降する。これにより、支持手段によって支持された床部材が水平軸周りに回転して傾斜するとともに、その傾斜角が変化する。
【０００９】
そして、このようにして、傾斜角が変化する床部材上で遊戯者は種々の遊戯を楽しむことができる。例えば、遊戯者は床部材上に居るだけで、当該床部材の傾斜角が変化して上下動するので、シーソーに乗ったような感覚を体感することができ、また、床部材の傾斜角を適宜大きくすれば、傾斜した床部材上を滑り降りるといった滑り台に似た遊戯を楽しむことができる。
【００１０】
尚、この場合、前記支持手段は、前記床部材の中央部下方に配設されて、該床部材の中央部下面に係着しているのが好ましい。このようにすれば、支持手段を中心としてその両側の床部材を同程度に上下動させることができ、遊戯者に、よりシーソーに似た遊戯を楽しませることができる。また、床部材の傾斜角をより大きくすることがで、上述した滑降遊戯を行い易くなる。
【００１１】
また、本発明は、上面が所定広さの遊戯領域となった床部材と、この床部材の下面に係着して、これを水平面に対して任意の方向に傾斜自在に支持する支持手段と、前記床部材の下面を支持するとともに、支持したその支持位置を昇降させる少なくとも二つの昇降手段とを設けて構成したことを特徴とする遊戯装置に係る。
【００１２】
この遊戯装置によれば、床部材を支持する少なくとも二つの昇降手段の各支持位置が、各昇降手段の作動によってそれぞれ昇降する。これにより、水平面に対して任意の方向に傾斜自在に支持された床部材の傾斜方向及び傾斜角が、各昇降手段の上下方向における支持位置に応じて変化する。
【００１３】
そして、このようにして、傾斜方向及び傾斜角が刻々変化する床部材上で遊戯者は種々の遊戯を楽しむことができる。例えば、上記と同様に、遊戯者は床部材上に居るだけで、当該床部材の傾斜方向及び傾斜角が変化して上下動するので、シーソーに乗ったような感覚を体感することができ、また、床部材の傾斜角を適宜大きくすれば、傾斜した床部材上を滑り降りるといった滑り台に似た遊戯を楽しむことができる。
【００１４】
尚、この場合にも、上記と同様に、前記支持手段は、前記床部材の中央部下方に配設されて、該床部材の中央部下面に係着しているのが好ましい。このようにすれば、支持手段を中心としてその両側の床部材を同程度に上下動させることができ、遊戯者に、より大きな変化を体感させることができるとともに、上述した滑降遊戯を行い易くなる。
【００１５】
また、本発明は、上面が所定広さの遊戯領域となった床部材と、前記床部材の下面を支持するとともに、支持したその支持位置を昇降させる少なくとも三つの昇降手段とを設けて構成したことを特徴とする遊戯装置に係る。
【００１６】
この遊戯装置によれば、床部材を支持する少なくとも三つの昇降手段の各支持位置が、各昇降手段の作動によってそれぞれ昇降し、これにより、各昇降手段の上下方向における支持位置に応じて、床部材の傾斜方向及び傾斜角が変化する。したがって、この遊戯装置によっても上記と同様の効果が奏される。尚、この場合、各昇降手段は床部材を安定して支持することができるように、適宜間隔をあけて配置するのが好ましい。
【００１７】
更に、上述した各遊戯装置は、前記床部材の周囲を包囲する包囲部材と、可撓性を有するシート状且つ環状をしたカバー部材とを更に備え、カバー部材の外周縁部が前記床部材の可動領域より上方の前記包囲部材に接着される一方、内周縁部が前記床部材表面の外周縁部に接着された構成であるのが好ましい。
【００１８】
かかる構成の遊戯装置によれば、床部材の周囲にこれを包囲するように包囲部材が設けられているので、床部材上に複数のボールを配置すれば、床部材の変位によってボールが動き回り、遊戯者はこのように動き回るボールを捕獲するといった遊戯を楽しむことができる。また、包囲部材の高さを適宜高くすれば、床部材上の遊戯者が当該床部材上から外に飛び出すのを当該包囲部材によって防止することができる。
【００１９】
また、床部材の周囲に包囲部材を設けると、当然のことながら、床部材と包囲部材との間に隙間が生じ、この隙間に遊戯者の手などが挟まって、怪我をするといったことが懸念されるが、外周縁部が床部材の可動領域より上方の包囲部材に接着され、且つ内周縁部が床部材表面の外周縁部に接着されたカバー部材が設けられているので、包囲部材と床部材との間に形成された隙間がカバー部材によって覆い隠され、これにより、同隙間部分に遊戯者の手などが挟まって怪我をするのが防止される。
【００２０】
更に、前記カバー部材は、その内周縁部が下側に折り返された状態で前記床部材表面の外周縁部に接着されているのが好ましい。このようにすれば、カバー部材が床部材の中央側に膨出した状態で湾曲するので、上下動する床部材と固定された包囲部材との間に当該カバー部材が噛み込むのが防止される。
【００２１】
【発明の実施の形態】
以下、本発明の具体的な実施形態について、添付図面に基づき説明する。尚、図１は、本発明の一実施形態に係る遊戯装置の全体を示した斜視図であり、図２は、当該遊戯装置の一部分を示した斜視図であり、図３は、当該遊戯装置の傾斜装置を示した平面図である。また、図４は、当該傾斜装置の作動状態を説明するための断面図であって、図３における矢視Ａ−Ａ方向の断面図である。図５は、同じく当該傾斜装置の作動状態を説明するための断面図であって、図３における矢視Ｂ−Ｂ方向の断面図である。また、図６、図７及び図８は、それぞれ当該遊戯装置の作用を説明するための説明図である。
【００２２】
図１に示すように、本例の遊戯装置１は、４箇所に立設された支柱２及び床部材４から構成される２階建ての構造を備え、１階部分及び２階部分のそれぞれに、遊戯者が遊戯を行うための領域（遊戯部）が形成されている。
【００２３】
２階の遊戯部は、各支柱２間に掛け渡した（張り渡した）ネット５及びシート６によって外部と仕切られた遊戯空間を備え、この遊戯空間内に多数の風船８が配置されるとともに、支柱２の上端部に配設された送風機７によって、当該遊戯空間内の空気が流動せしめられるように構成されており、かかる空気流によって、遊戯空間内の風船８が攪拌され、当該風船８が浮遊，乱舞するようになっている。
【００２４】
尚、前記ネット５は、遊戯空間の天井に当たる部分にも掛け渡されている（張り渡されている）。また、遊戯者は、階段３から前記遊戯空間内に入ることができるようになっている。
【００２５】
この２階の遊戯部では、風船８が浮遊，乱舞する遊戯空間内において、例えば、風船８によって視界が遮られることを利用した「鬼ごっこ」や、浮遊，乱舞する風船８を捕獲するといった遊戯のように、遊戯者は当該遊戯空間内において種々の遊戯を楽しむことができる。
【００２６】
一方、１階の遊戯部は、枡状に細分された第１の遊戯部１１、第２の遊戯部１５、第３の遊戯部２０及び第４の遊戯部２５の４つの遊戯部から構成される。第１の遊戯部１１は、プール内に多数のボール１２を収容した、所謂ボールプールと呼ばれる遊戯部であり、第２の遊戯部１５は、縫い包み１６を配設した遊戯部であり、第３の遊戯部２０は、気密且つ袋状の弾性体内に圧縮気体を充填して構成したマット２１を配設した遊戯部である。
【００２７】
この第１の遊戯部１１では、遊戯者は、プール内に多数配設されたボール１２に埋没した状態で遊戯を楽しむことができ、第２の遊戯部１５では、縫い包み１６に乗りあがるなどして遊ぶことができ、第３の遊戯部２０では、マット２１上で飛び跳ねるといった遊戯を楽しむことができる。
【００２８】
また、第４の遊戯部２５は、図２に拡大して示すように、四角形をした窓枠状の腰掛部材２６と、この腰掛部材２６の内側に配設された床部材２７と、床部材２７上に配置されたボール２８と、床部材２７を傾斜させる図３乃至図５に示した傾斜装置３０などから構成される。
【００２９】
前記床部材２７は矩形形状をした平板状の部材からなり、その上面が所定広さの遊戯領域となっている。そして、上記のように腰掛部材２６の内側に配設されることで、当該腰掛部材材２６によって包囲された状態となっている。また、床部材２７は、図３乃至図５に示すように、角パイプを柵状に連結して構成されたフレーム４０上に載置，固定されている。
【００３０】
前記腰掛部材２６の上面には、同じく四角形をした窓枠状のカバーシート２９が貼着されており、このカバーシート２９は更に、その内周縁部が下側に折り返されて、床部材２７の外周縁部に貼着され、結果、図２並びに図６乃至図８に示すように、床部材２７の中央側に膨出，湾曲し、ゆとりを持った状態となっている。
【００３１】
図３乃至図５に示すように、前記傾斜装置３０は、床部材２７の下方に配設されたベースプレート３１と、このベースプレート３１上に配設され、前記床部材２７の載置，固定されたフレーム４０を支持する支持機構３２と、同じくベースプレート３１上に前記支持機構３２を中心として９０°の角度で配設され、前記床部材２７の載置，固定されたフレーム４０を支持するとともに、その支持位置を上下方向に昇降させるように構成された第１の昇降機構４５及び第２の昇降機構５０と、この第１の昇降機構４５及び第２の昇降機構５０の作動を制御する制御装置５５とから構成される。
【００３２】
前記支持機構３２は、前記ベースプレート３１の中心部上面に適宜間隔を空けて立設された一対の支持ブラケット３３，３３と、この支持ブラケット３３，３３間に配設される平面視十字形状をした連結板３４と、この連結板３４の各片縁部上面にそれぞれに立設された２対のブラケット３５，３５，３８，３８と、前記フレーム４０を構成する中央部の部材４１，４２からそれぞれ下方に垂下するように設けられたブラケット３７，３７などから構成される。
【００３３】
前記ブラケット３５，３５は、前記支持ブラケット３３，３３間に位置する連結板３４の各片上面に立設され、前記支持ブラケット３３，３３に螺着された支持軸３６，３６によって矢示Ｃ−Ｄ方向に揺動自在に支持されている。また、前記ブラケット３８，３８は、前記ブラケット３７，３７を挟むように前記連結板３４上に立設され、ブラケット３７，３７に螺着された支持軸３９，３９によって矢示Ｅ−Ｆ方向に揺動自在に支持されている。
【００３４】
斯くして、フレーム４０及び床部材２７は、支持機構３２の前記矢示Ｃ−Ｄ方向及び矢示Ｅ−Ｆ方向への複合した揺動動作によって、その中心部を中心として水平面に対し任意の方向に傾斜可能に当該支持機構３２によって支持される。
【００３５】
前記第１の昇降機構４５は、ロータリエンコーダを備えたサーボモータ４６と、相互に連結された２本のクランクアーム４８，４９とからなり、クランクアーム４８の端部がサーボモータ４６の出力軸４７に連結され、クランクアーム４９の端部がフレーム４０を構成する部材の内、前記ブラケット３７，３７の配列方向と平行に設けられた部材４３に接続されている。そして、出力軸４７が回転すると、これによってクランクアーム４９が上下動し、かかるクランクアーム４９の上下動によって、前記フレーム４０及びこれに載置，固定される床部材２７が前記矢示Ｃ−Ｄ方向に揺動せしめられる。
【００３６】
また、前記第２の昇降機構５０は、同じくロータリエンコーダを備えたサーボモータ５１と、相互に連結された２本のクランクアーム５３，５４とからなり、クランクアーム５３の端部がサーボモータ５１の出力軸５２に連結され、クランクアーム５４の端部がフレーム４０を構成する部材の内、前記支持ブラケット３３，３３の配列方向と平行に設けられた部材４４に接続されている。そして、出力軸５２が回転すると、これによってクランクアーム５４が上下動し、かかるクランクアーム５３４上下動によって、前記フレーム４０及び床部材２７が前記矢示Ｅ−Ｆ方向に揺動せしめられる。
【００３７】
そして、前記制御装置５５は、前記各ロータリエンコーダから前記出力軸４７，５２の回転角度位置に係る検出信号を受信しつつ前記サーボモータ４６，５１の作動を制御して、前記出力軸４７，５２の回転角度位置が所望の角度位置になるようにこれを制御する。これにより、前記フレーム４０を支持するクランクアーム４９，５４の上下方向における支持位置が制御される。
【００３８】
尚、上記の如く揺動する床部材２７の可動領域は、前記腰掛部材２６の上面より下方となっている。
【００３９】
斯くして、この第４の遊戯部２５では、制御装置５５による制御の下、サーボモータ４６，５１が適宜駆動されることにより、前記ブラケット３３，３３，３５，３５，３７，３７，３８，３８相互間の連結構造に基づく、前記矢示Ｃ−Ｄ方向及び矢示Ｅ−Ｆ方向への複合した揺動動作によって、フレーム４０及び床部材２７がその中心部を中心として水平面に対し任意の方向に傾斜し、図６乃至図８に示すように、床部材２７上に配置されたボール２８が、当該傾斜によって床部材２７上を転動する。
【００４０】
そして、このように床部材２７が揺動する第４の遊戯部２５内に入った遊戯者は、床部材２７上に居るだけで、当該床部材２７の傾斜方向や傾斜角が変化するので、かかる変化によって自身が上下動し、シーソーに乗ったような感覚を体感したり、動き回るボール２８を捕獲するといった遊戯を楽しむことができる。
【００４１】
尚、上述したように、床部材２７の外周縁部には、他方が腰掛部材２６の上面に貼着されたカバーシート２９が貼着されており、腰掛部材２６と床部材２７との間に形成された隙間がこのカバーシート２９によって覆い隠されているので、同隙間部分に遊戯者の手などが挟まって怪我をするのが防止される。
【００４２】
以上詳述したように、本例の遊戯装置１は２階建て構造となっているので、各種遊戯を行うことができる領域を集約することができ、小さい設置面積で様々な遊戯を遊戯者に楽しませることができる。
【００４３】
また、第４の遊戯部２５では、床部材２７を任意な方向に揺動，傾斜させるという従来に無い構造を採用しているので、遊戯者は従来に無い新規な趣味感に溢れた遊戯を楽しむことができる。
【００４４】
以上、本発明の一実施形態について説明したが、本発明が採り得る具体的な態様は何ら上例のものに限定されるものではない。
【００４５】
例えば、上例では、第４の遊戯部２５において、床部材２７を腰掛部材２６によって包囲するように構成し、支持機構３２によって床部材２７を（実際にはフレーム４０を介して）支持し、それぞれサーボモータ４６，５１を有する第１及び第２の２つの昇降機構４５，５０によって床部材２７を傾斜させるように構成したが、図９及び図１０に示すように、壁部材６０により床部材２７を包囲するように構成し、継手６１により床部材２７を支持するとともに、一つのサーボモータ７３を有する昇降機構６５によって床部材２７を傾斜させるように構成しても良い。
【００４６】
前記継手６１は、上端部が床部材２７の中央部下面に係着され、水平軸（図１０において紙面と直交する軸線）周り、即ち、矢示Ｈ−Ｉ方向に回転可能に前記床部材２７を支持する。
【００４７】
また、前記昇降機構６５は、前記水平軸と平行に配設された駆動軸６７と、この駆動軸６７を回転自在に支持する軸受６６，６６と、相互に連結されたクランクアーム６８，６９及び７０，７１と、駆動軸６７に係着されたギヤ７２と、駆動軸６７と並んで配設されたサーボモータ７３と、サーボモータ７３の出力軸に係着され、前記ギヤ７２と噛合したギヤ７４とから構成される。
【００４８】
そして、図９に示すように、前記クランクアーム６８はその端部が前記駆動軸６７の右端部に係着される一方、クランクアーム６９の端部は床部材２７の下面に接続された状態となっており、また、同様に、クランクアーム７０の端部は駆動軸の左端部に係着され、クランクアーム７１の端部は床部材２７の下面に接続された状態となっている。
【００４９】
また、前記カバーシート２９は、その外周縁が床部材２７の可動領域より上方の壁部材６０内面に貼着された状態となっている。
【００５０】
以上の構成を備えた第４の遊戯部２５では、前記制御装置５５によってサーボモータ７３が駆動，制御され、その出力軸に係着されたギヤ７４と駆動軸６７に係着されたギヤ７２との噛合関係によって当該駆動軸６７が軸中心に回転し、その各軸端に係着されたクランクアーム６８，７０の回動によって、これらに連結されたクランクアーム６９，７１がそれぞれ上下動し、これによって床部材２７が前記矢示Ｈ−Ｉ方向に揺動する。
【００５１】
尚、前記制御装置５５は、サーボモータ７３に備えられたロータリエンコーダから前記出力軸の回転角度位置に係る検出信号を受信しつつ前記サーボモータ７３の作動を制御して、前記出力軸の回転角度位置が所望の角度位置になるようにこれを制御する、即ち、前記クランクアーム６８，７０の上下方向における支持位置を制御する。
【００５２】
斯くして、上記構成によっても、床部材２７が揺動せしめられてその傾斜角が変化し、上記の例と同様に、遊戯者は、床部材２７上に居るだけで、シーソーに乗ったような感覚を体感したり、床部材２７の傾斜角を適宜大きくすることで、傾斜した床部材２７上を滑り降りるといった滑り台に似た遊戯を楽しむことができる。
【００５３】
また、上記各例では、床部材２７の駆動に、精密制御可能なサーボモータを用いたが、これに限られるものではなく、通常の電動モータや油圧モータを用いても何ら差し支えない。但し、複数のモータを用いて床部材２７の傾斜角や傾斜方向を高度に制御する場合には、サーボモータやステッピングモータを用いるのが好ましい。
【００５４】
また、三つ以上の昇降機構を用いて前記床部材２７を支持する場合には、これを適宜配置することで、当該床部材２７を安定して支持することができるので、上述した支持機構３２，６１は特にこれを設けるには及ばない。
【００５５】
また、上述した昇降機構４５，５０，６５は、床部材２７を昇降させることができる構成のものであれば、上記の構成に何ら限定されるものではない。例えば、その他の例として、図１１及び図１３に示した構成を例示することができる。
【００５６】
図１１に示した昇降機構８０は、上下に並設された平板８１，８２と、この平板８１，８２間に設けられた引張コイルバネ８４及びエアバッグ８３と、平板８１に形成された流路８１ａ及びこの流路８１ａに接続した配管８９を介して前記エアバッグ８３内に圧縮空気を供給するコンプレッサ８８と、前記配管８９に介在せしめられた切換弁８５及び流量調整弁８６と、切換弁８５の排気側に設けられた流量調整弁８７とからなる。
【００５７】
尚、引張コイルバネ８４及びエアバッグ８３の下端部は共に前記平板８１の上面に係着され、その上端部は共に平板８２の下面に係着されている。また、切換弁８５及び流量調整弁８６，８７は制御装置９０によってその作動が制御される。また、エアバッグ８３は弾性部材を袋状に形成して構成される。また、この昇降機構８０は、図１２に示すように、例えば、その三つが前記床部材２７の下方に適宜間隔で配設され、その平板８２が床部材２７の下面に係着された状態となっている。
【００５８】
この昇降機構８０によれば、切換弁８５が給気状態になっている場合、配管８９，流量調整弁８６，切換弁８５及び流路８１ａを介して前記コンプレッサ８８から前記エアバッグ８３に圧縮空気が供給され、これにより、当該エアバッグ８３が引張コイルバネ８４の収縮力に抗して膨張し、図１１において二点鎖線で示すように、床部材２７を上方に押し上げる。即ち、その支持位置を上昇させる。
【００５９】
そして、制御装置９０によって切換弁８５が排気状態に切り換えられると、コンプレッサ８７からの圧縮空気の供給が当該切換弁８５によって遮断される一方、エアバッグ８３は引張コイルバネ８４の収縮力によって平板８１，８２間で押圧され、その内部の気体が前記流路８１ａ，切換弁８５及び流量調整弁８７を介して外部に排気される。これにより、当該エアバッグ８３が収縮して、床部材２７が下方に移動する。即ち、その支持位置が降下する。
【００６０】
尚、エアバッグ８３が膨張して床部材２７を上方に押し上げる速度、及びエアバッグ８３が収縮して床部材２７が下方に移動する速度は、制御装置９０による制御の下、それぞれ流量調整弁８６及び流量調整弁８７によって制御される。
【００６１】
斯くして、各昇降機構８０は、制御装置９０により、床部材２７を支持する上下方向の支持位置がそれぞれ制御されて当該支持位置が上下動し、これによって、床部材２７はその傾斜方向や傾斜角が変化し、遊戯者は、傾斜方向及び傾斜角が刻々変化する床部材２７上で、上述した種々の遊戯を楽しむことができる。
【００６２】
また、図１３に示した昇降機構９５は、昇降機構８０を構成する引張コイルバネ８４，平板８１を省き、配管８９を直接エアバッグ８３に接続した点が前記昇降機構８０と異なり、他の構成は前記昇降機構８０と同じである。
【００６３】
この昇降機構９５では、切換弁８５が給気状態になっている場合、上記昇降機構８０の場合と同様にして、配管８９，流量調整弁８６及び切換弁８５を介して前記コンプレッサ８８から前記エアバッグ８３に圧縮空気が供給され、これにより、当該エアバッグ８３が膨張して、図１３において二点鎖線で示すように、床部材２７を上方に押し上げる。
【００６４】
そして、制御装置９０によって切換弁８５が排気状態に切り換えられると、コンプレッサ８７からの圧縮空気の供給が当該切換弁８５によって遮断される一方、エアバッグ８３は床部材２７の自重やその上の遊戯者の体重によって押圧され、その内部の気体が前記切換弁８５及び流量調整弁８７を介して外部に排気される。これにより、当該エアバッグ８３が収縮して、床部材２７が下方に移動する。
【００６５】
このように、この昇降機構９５によっても、床部材２７を支持する上下方向の支持位置が上下動し、これによって、床部材２７はその傾斜方向や傾斜角が変化し、遊戯者は、傾斜方向及び傾斜角が刻々変化する床部材２７上で、上述した種々の遊戯を楽しむことができる。
【００６６】
また、上述した例では、ボール２８を床部材２７上に配置した構成を例示したが、これに限られるものではなく、袋内に粉粒体を充填してマット状に形成したものなど、各種の付属物を床部材２７上に配置して、遊戯者の遊戯に供することができる。
【図面の簡単な説明】
【図１】本発明の一実施形態に係る遊戯装置の全体を示した斜視図である。
【図２】実施形態に係る遊戯装置の一部分を示した斜視図である。
【図３】実施形態に係る遊戯装置の傾斜装置を示した平面図である。
【図４】実施形態に係る傾斜装置の作動状態を説明するための断面図であって、図３における矢視Ａ−Ａ方向の断面図である。
【図５】実施形態に係る傾斜装置の作動状態を説明するための断面図であって、図３における矢視Ｂ−Ｂ方向の断面図である。
【図６】実施形態に係る遊戯装置の作用を説明するための説明図である。
【図７】実施形態に係る遊戯装置の作用を説明するための説明図である。
【図８】実施形態に係る遊戯装置の作用を説明するための説明図である。
【図９】本発明の他の実施形態に係る遊戯装置を示した側断面図であって、図１０における矢視Ｇ−Ｇ方向の断面図である。
【図１０】本発明の他の実施形態に係る遊戯装置を示した正断面図である。
【図１１】本発明の他の実施形態に係る昇降機構を一部ブロック図で示した正面図である。
【図１２】本発明の他の実施形態に係る昇降機構の配置例を示した平面図である。
【図１３】本発明の更に他の実施形態に係る昇降機構を一部ブロック図で示した正面図である。
【符号の説明】
１    遊戯装置
２５  第４の遊戯部
２６  腰掛部材
２７  床部材
２９  カバーシート
３０  傾斜装置
３２  支持機構
４５  第１の昇降機構
５０  第２の昇降機構
５５  制御装置
【図１】
2004275345.tif 000003
【図２】
2004275345.tif 000004
【図３】
2004275345.tif 000005
【図４】
2004275345.tif 000006
【図５】
2004275345.tif 000007
【図６】
2004275345.tif 000008
【図７】
2004275345.tif 000009
【図８】
2004275345.tif 000010
【図９】
2004275345.tif 000011
【図１０】
2004275345.tif 000012
【図１１】
2004275345.tif 000013
【図１２】
2004275345.tif 000014
【図１３】
2004275345.tif 000015